(57)【要約】　　　（修正有）【課題】デジタルスキャナとデジタルプリンタとを接続しデジタル複写機能を実現する際に、デジタルプリンタのマイコンがデジタルスキャナの特性値あるいは調整値をその都度呼び出すことなく、簡単な仕組みで実現できる機能を有するデジタル複写機を提供する。【解決手段】デジタル複写機３０において、プリンタ２及びスキャナ１を制御するプリンタ側ＣＰＵ２２と、プリンタ２の特性値を記憶する不揮発性記憶媒体２５とを備えており、不揮発性記憶媒体１８の一部１８ｂに、スキャナ固有の識別データを予め入力しておき、スキャナ１とプリンタ２を接続してデジタル複写機３０を実現する際に、少なくとも不揮発性記憶媒体２５の特定領域２５ａの値が特定値でないことにより、ＣＰＵ２２が、不揮発性記憶媒体１８の特性値とスキャナ固有の識別データとを不揮発性記憶媒体２５の一部２５ｂにコピーする機能を備えた。【選択図】　　　図１
2004032034.tif 000002
【特許請求の範囲】
【請求項１】
特性値を記憶するデジタルスキャナ用不揮発性記憶媒体を備えたデジタルスキャナと、該デジタルスキャナと接続可能なデジタルプリンタとを備えたデジタル複写機であって、
前記デジタルプリンタは、当該デジタルプリンタ及び前記デジタルスキャナを制御するＣＰＵと、前記デジタルプリンタの特性値を記憶するデジタルプリンタ用不揮発性記憶媒体と、を備え、
前記デジタルスキャナ用不揮発性記憶媒体は、デジタルスキャナ固有の識別データを予め保持し、
前記デジタルスキャナと前記デジタルプリンタを接続してデジタル複写機を実現する際に、前記デジタルプリンタ用不揮発性記憶媒体の特定領域の値が少なくとも特定値でない場合に、前記ＣＰＵは、前記デジタルスキャナ用不揮発性記憶媒体が保持したデジタルスキャナの特性値及び固有の識別データを、前記デジタルプリンタ用不揮発性記憶媒体にコピーすることを特徴とするデジタル複写機。
【請求項２】
前記デジタルプリンタ用不揮発性記憶媒体にコピーした前記デジタルスキャナ固有の識別データと、デジタルスキャナ用不揮発性記憶媒体に予め入力された前記デジタルスキャナ固有の識別データとが一致しており、前記デジタルプリンタ用不揮発性記憶媒体の特定領域の値が特定値であり、かつ前記デジタルスキャナ用不揮発性記憶媒体の特定領域の値が少なくとも初期値の場合に、前記ＣＰＵは、前記デジタルプリンタ用不揮発性記憶媒体の一部に格納した前記デジタルスキャナの特性値を、前記デジタルスキャナ用不揮発性記憶媒体にコピーすることを特徴とする請求項１記載のデジタル複写機。
【請求項３】
前記デジタルプリンタ用不揮発性記憶媒体にコピーした前記デジタルスキャナ固有の識別データと、前記デジタルスキャナ用不揮発性記憶媒体に予め入力された該デジタルスキャナ固有の識別データとが一致している際に、前記デジタルスキャナ用不揮発性記憶媒体の特性値を変更する場合に、前記デジタルプリンタ用不揮発性記憶媒体の一部に格納した前記デジタルスキャナの特性値を変更し、前記デジタルスキャナ用不揮発性記憶媒体の特定領域の値を少なくとも特定値以外とした時に、前記ＣＰＵは、前記デジタルプリンタ用不揮発性記憶媒体の一部に格納した前記デジタルスキャナの特性値を、前記デジタルスキャナ用不揮発性記憶媒体にコピーすることを特徴とする請求項２記載のデジタル複写機。
【請求項４】
前記デジタルプリンタ用不揮発性記憶媒体の特定領域の値と前記デジタルスキャナ用不揮発性記憶媒体の特定領域の値が特定値であり、かつ前記デジタルプリンタ用不揮発性記憶媒体の一部にコピーした前記デジタルスキャナ固有の識別データと、前記デジタルスキャナ用不揮発性記憶媒体の一部に予め入力された前記デジタルスキャナ固有の識別データとを比較し、比較結果が不一致であった場合を異常とする機能を備えたことを特徴とする請求項１記載のデジタル複写機。
【請求項５】
前記比較結果が不一致であった場合の異常処理が、表示部に前記デジタルスキャナと前記デジタルプリンタとの組み合わせに変更があった旨を表示することにより行われることを特徴とする請求項４に記載のデジタル複写機。
【請求項６】
前記比較結果が不一致であった場合の異常処理が、前記プリンタ用不揮発性記憶媒体の特定領域の値を少なくとも特定値以外とすることにより、前記スキャナ用不揮発性記憶媒体の特性値を前記デジタルプリンタ用の不揮発性記憶媒体の一部にコピーして行われることを特徴とする請求項４に記載のデジタル複写機。
【請求項７】
請求項６記載の制御を実行するか否かのメッセージを表示部に表示することを特徴とする請求項４に記載のデジタル複写機。
【発明の詳細な説明】
【０００１】
【発明の属する技術分野】
本発明は、デジタルスキャナと、このデジタルスキャナと接続可能なデジタルプリンタとを備えたデジタル複写機に関するものである。
【０００２】
【従来の技術】
デジタル複写機の構成は、機能的にはデジタルスキャナとデジタルプリンタに大別できる。デジタルスキャナには機器固有の特性値あるいは調整値が存在し、一方デジタルプリンタにも同様に特性値あるいは調整値が存在する。デジタル複写機の構成では、各々の特性値あるいは調整値は通常シーケンシャルな制御を実現するプリンタ側に不揮発性メモリを配置し、格納されている。
しかしながら、別々に製造されたデジタルスキャナとデジタルプリンタを市場において接続し、デジタル複写機機能を実現する場合には、デジタルスキャナとデジタルプリンタの各々の特性値あるいは調整値は、各々の不揮発性メモリに格納せざるを得ない。一般的に、デジタルスキャナとデジタルプリンタには各々を制御するマイコンが搭載されており、各々のマイコンが通信を行うことによりデジタル複写機機能を実現している。
ところで、デジタルプリンタにデジタルスキャナを接続したデジタル複写機（システム機器）が複数台存在する場合に、オペレータのミスにより、万が一デジタルプリンタとデジタルスキャナの組み合わせを誤って再接続した場合、誤接続されたデジタルプリンタ側のＮＶＲＡＭには以前接続されていたデジタルスキャナの特性値データが格納されており、再接続されたデジタルスキャナの特性値データとは異なるにも関わらず、各々のヘッダ領域のデータは初期値ではないため、更新が行われないという不具合が発生してしまう。
【０００３】
【発明が解決しようとする課題】
デジタルスキャナにコントローラＩＣを配置し、デジタルプリンタに配置したマイコンにより、デジタルスキャナ及びデジタルプリンタを制御しようとした場合、その製造工程で格納されたデジタルスキャナの特性値あるいは調整値をマイコンが呼び出す必要がある。
また、デジタルスキャナ側が電気的に故障した場合に備えて、デジタルスキャナの特性値あるいは調整値を記憶した不揮発性メモリは、デジタルスキャナの制御部を交換する際に取り外して交換後の制御部に取り付け直す必要がある。
本発明の第１の目的は、デジタルスキャナとデジタルプリンタとを市場で接続し、デジタル複写機機能を実現する際に、シーケンシャルな制御を実現するデジタルプリンタのマイコンがデジタルスキャナの特性値あるいは調整値をその都度呼び出すことなく、制御処理を簡略化する方法として簡単な仕組みで実現できる機能を有するデジタル複写機を提案することにある。
本発明の第２の目的は、デジタルスキャナ側が電気的に故障した場合に、デジタルスキャナの制御部を交換するさい、デジタルスキャナの特性値あるいは調整値を記憶した不揮発性メモリの脱着の手間をなくして機能を達成するデジタル複写機を提案することにある。
本発明の第３の目的は、デジタルスキャナの特性値あるいは調整値を一部変更する際に、変更処理に係る処理時間の短縮を可能にする機能を有するデジタル複写機を提案することにある。
【０００４】
本発明の第４の目的は、デジタルプリンタにデジタルスキャナを接続したデジタル複写機（システム機器）が複数台存在し、万が一デジタルプリンタとデジタルスキャナの組み合わせがオペレータのミスによって異なって再接続された場合には、それを検出し、処理を異常とすることができる制御機能を備えたデジタル複写機を提案することにある。
本発明の第５の目的は、そのような場合には、万が一デジタルプリンタとデジタルスキャナの組み合わせがオペレータのミスによって異なって再接続された場合には、オペレータにミス接続の是正を促す制御機能を備えたデジタル複写機を提案することにある。
本発明の第６の目的は、意図的にデジタルプリンタとデジタルスキャナの組み合わせが異なって再接続された場合に、新たに接続されたデジタルスキャナの特性値あるいは調整値でデジタル複写機機能を実現可能にするデジタル複写機を提案することにある。
本発明の第７の目的は、異なる組み合わせが意図的な再接続であるのか、オペレータのミス接続なのかを確認した後で新たなシステム更新を実行する制御機能備えたデジタル複写機を提案することにある。
【０００５】
【課題を解決するための手段】
前記の課題を解決するために、請求項１記載の発明では、特性値を記憶するデジタルスキャナ用不揮発性記憶媒体を備えたデジタルスキャナと、該デジタルスキャナと接続可能なデジタルプリンタとを備えたデジタル複写機であって、前記デジタルプリンタは、当該デジタルプリンタ及び前記デジタルスキャナを制御するＣＰＵと、前記デジタルプリンタの特性値を記憶するデジタルプリンタ用不揮発性記憶媒体と、を備え、前記デジタルスキャナ用不揮発性記憶媒体は、デジタルスキャナ固有の識別データを予め保持し、前記デジタルスキャナと前記デジタルプリンタを接続してデジタル複写機を実現する際に、前記デジタルプリンタ用不揮発性記憶媒体の特定領域の値が少なくとも特定値でない場合に、前記ＣＰＵは、前記デジタルスキャナ用不揮発性記憶媒体が保持したデジタルスキャナの特性値及び固有の識別データを、前記デジタルプリンタ用不揮発性記憶媒体にコピーすることを特徴とする。
請求項２記載の発明では、請求項１記載のデジタル複写機において、前記デジタルプリンタ用不揮発性記憶媒体にコピーした前記デジタルスキャナ固有の識別データと、デジタルスキャナ用不揮発性記憶媒体に予め入力された前記デジタルスキャナ固有の識別データとが一致しており、前記デジタルプリンタ用不揮発性記憶媒体の特定領域の値が特定値であり、かつ前記デジタルスキャナ用不揮発性記憶媒体の特定領域の値が少なくとも初期値の場合に、前記ＣＰＵは、前記デジタルプリンタ用不揮発性記憶媒体の一部に格納した前記デジタルスキャナの特性値を、前記デジタルスキャナ用不揮発性記憶媒体にコピーすることを特徴とする。
【０００６】
請求項３記載の発明では、請求項２記載のデジタル複写機において、前記デジタルプリンタ用不揮発性記憶媒体にコピーした前記デジタルスキャナ固有の識別データと、前記デジタルスキャナ用不揮発性記憶媒体に予め入力された該デジタルスキャナ固有の識別データとが一致している際に、前記デジタルスキャナ用不揮発性記憶媒体の特性値を変更する場合に、前記デジタルプリンタ用不揮発性記憶媒体の一部に格納した前記デジタルスキャナの特性値を変更し、前記デジタルスキャナ用不揮発性記憶媒体の特定領域の値を少なくとも特定値以外とした時に、前記ＣＰＵは、前記デジタルプリンタ用不揮発性記憶媒体の一部に格納した前記デジタルスキャナの特性値を、前記デジタルスキャナ用不揮発性記憶媒体にコピーすることを特徴とする。
請求項４記載の発明では、請求項１記載のデジタル複写機において、前記デジタルプリンタ用不揮発性記憶媒体の特定領域の値と前記デジタルスキャナ用不揮発性記憶媒体の特定領域の値が特定値であり、かつ前記デジタルプリンタ用不揮発性記憶媒体の一部にコピーした前記デジタルスキャナ固有の識別データと、前記デジタルスキャナ用不揮発性記憶媒体の一部に予め入力された前記デジタルスキャナ固有の識別データとを比較し、比較結果が不一致であった場合を異常とする機能を備えたデジタル複写機を主要な特徴とする。
請求項５記載の発明では、請求項４記載のデジタル複写機において、比較結果が不一致であった場合の異常処理が、表示部に前記デジタルスキャナと前記デジタルプリンタとの組み合わせに変更があったことを表示して行われるデジタル複写機を主要な特徴とする。
請求項６記載の発明では、請求項４記載のデジタル複写機において、比較結果が不一致であった場合の異常処理が、前記プリンタ用不揮発性記憶媒体の特定領域の値を少なくとも特定値以外とすることにより、前記スキャナ用不揮発性記憶媒体の特性値を前記デジタルプリンタ用の不揮発性記憶媒体の一部にコピーして行われるデジタル複写機を主要な特徴とする。
請求項７記載の発明では、請求項４記載のデジタル複写機において、請求項６記載の制御を実行するか否かのメッセージを表示部に表示するデジタル複写機を主要な特徴とする。
【０００７】
【発明の実施の形態】
以下、図面により本発明の実施の形態を詳細に説明する。図１は、本発明によるデジタル複写機の実施の形態のハードウェア構成を示すブロック図である。図１において、デジタルスキャナ１はデジタルプリンタ２に接続することによりデジタル複写機３０としての機能を実現する。
デジタルスキャナ１において、ＣＣＤ（制御部）１２で光電変換された画像信号は、回路部１３に入力され、信号増幅、信号合成、可変増幅、信号デジタル化（Ａ／Ｄ変換）の工程を経てデジタルプリンタ２の画像処理部２６に出力される。デジタルスキャナ１の制御はコントローラＩＣ１１を介してなされており、このコントローラＩＣ１１は、原稿を露光するランプ１６を駆動するインバータ１５のオン／オフ機能、ランプ１６が配置され原稿を走査するキャリッジ（図示せず）を駆動するモータ１７の駆動機能、キャリッジのホームポジションを検出するセンサ１４の入力機能、及びＥＥＰＲＯＭ１８のアクセス機能を有している。デジタルプリンタ２において、メイン制御部２１にはデジタルプリンタ２のエンジン部（図示せず）及びデジタルスキャナ１のコントローラＩＣ１１を制御するＣＰＵ２２が搭載されている。ＣＰＵ（制御部）２２は、ＲＯＭ２３に格納されたプログラムにしたがって処理を実行する。
ＣＰＵ２２は、デジタルスキャナ１が接続されていない場合は、デジタルプリンタ２としての機能を実現し、また、デジタルスキャナ１が接続されている場合はデジタル複写機３０としての機能を実現するようにデジタルプリンタ２及びデジタルスキャナ１を制御する。
ＣＰＵ２２の処理において、ＲＡＭ２４は処理上の一時的なデータの保管に用いられ、ＮＶＲＡＭ２５には、デジタルプリンタ２における機器固有の特性値が記憶されている。また、デジタルスキャナ１における機器固有の特性値は、コントローラＩＣ１１に接続されるＥＥＰＲＯＭ１８に記憶されており、各特性値はデジタルスキャナ１及びデジタルプリンタ２のそれぞれの製造工程で入力される。
【０００８】
次に、図２は図１の実施の形態のハードウェア構成において使用されるデジタルスキャナ用不揮発性記憶媒体（ＥＥＰＲＯＭ）及びデジタルプリンタ用不揮発性記憶媒体（ＮＶＲＡＭ）のメモリマップを示す図である。
図２において、ＥＥＰＲＯＭ１８の００００番地から数バイトの領域にはヘッダ領域（特定領域）１８ａが設けられ、続いてデジタルスキャナ１の特性値が格納されるデータ領域１８ｂが配置されている。同様に、ＮＶＲＡＭ２５の００００番地から数バイトの領域にヘッダ領域（特定領域）２５ａが設けられ、続いてスキャナデータ領域２５ｄがＥＥＰＲＯＭ１８のデータ領域１８ｄと同じ容量あるいはそれ以上設けられており、続いてデジタルプリンタ２の特性値が格納されるプリンタデータ領域２５ｅが配置されている。
ＥＥＰＲＯＭ１８のヘッダ領域１８ａには、さらに識別データ領域１８ｂとフラグ領域１８ｃが配置されている。また、ＮＶＲＡＭ２５のヘッダ領域２５ａにも識別データ領域２５ｂとフラグ領域２５ｃが配置されている。
さて、ＥＥＰＲＯＭ１８には、デジタルスキャナ１の製造工程において機器固有の特性値をデータ領域１８ｄに格納すると同時に、そのヘッダ領域１８ａに配置された識別データ領域１８ｂにデジタルスキャナ１の個体識別用データ（例えば、デジタルスキャナ１の製造番号）を、フラグ領域１８ｃには特定の初期値を記憶しておく。
同様に、ＮＶＲＡＭ２５には、デジタルプリンタ２の製造工程において機器固有の特性値をプリンタデータ領域２５ｅに格納すると同時に、そのヘッダ領域２５ａに配置された識別データ領域２５ｂ、フラグ領域２５ｃ、スキャナデータ領域２５ｄに特定の初期値を記憶しておく。
市場等において、デジタルプリンタ２に対して、オプションのデジタルスキャナ１を接続した場合、機器の接続が終了しデジタル複写機３０として、電源を投入した際、図３のフローチャートに示す処理を実行する。図３はデジタル複写機の制御処理を示すフローチャートである。
【０００９】
図３において、ＣＰＵ２２はデジタルスキャナ１の接続を認識したら、ＮＶＲＡＭ２５のフラグ領域２５ｃのデータを読み出す（Ｓｔｅｐ５１）。読み出したデータは初期値であるため（Ｓｔｅｐ５２−Ｙ）、ＥＥＰＲＯＭ１８のデータ領域１８ｄからデジタルスキャナ１の特性値データを読み出し、デジタルプリンタ２側のＲＡＭ２４に書き込む（Ｓｔｅｐ５３）。
次に、ＲＡＭ２４に書き込んだデジタルスキャナ１の特性値データをＮＶＲＡＭ２５のスキャナデータ領域２５ｄに書き込む（Ｓｔｅｐ５４）。そして、ＥＥＰＲＯＭ１８のフラグ領域１８ｃに特定値を書き込み（Ｓｔｅｐ５５）、またＮＶＲＡＭ２５のフラグ領域２５ｃに特定値を書き込む（Ｓｔｅｐ５６）。
さらに、ＥＥＰＲＯＭ１８の識別データ領域１８ｂからデジタルスキャナ１の個体識別用データを読み出し、ＲＡＭ２４に書き込む（Ｓｔｅｐ８１）。次に、ＲＡＭ２４に書き込んだデジタルスキャナ１の個体識別用データを、ＮＶＲＡＭ２５の識別データ領域２５ｂに書き込む（Ｓｔｅｐ８２）。
この一連の処理により、デジタルプリンタ２のＮＶＲＡＭ２５にはデジタルプリンタ２の機器固有の特性値データとデジタルスキャナ１の機器固有の特性値データとの両方が格納されるため、ＣＰＵ２２は同一基板（メイン制御部２１）上のＮＶＲＡＭ２５を読み出すことでデジタル複写機３０としての機能を実現できる。
また、次回からのデジタル複写機３０の起動時（電源投入時）の処理について、図３を用いて説明する。図３において、ＣＰＵ２２はデジタルスキャナ１の接続を認識したら、ＮＶＲＡＭ２５のフラグ領域２５ｃのデータを読み出す（Ｓｔｅｐ５１）。読み出したデータは初期値ではないため（Ｓｔｅｐ５２−Ｎ）、続いてＥＥＰＲＯＭ１８のフラグ領域１８ｃのデータを読み出す（Ｓｔｅｐ６１）。読み出したデータは初期値ではないため（Ｓｔｅｐ６２−Ｎ）、さらに、以下の処理を実行する。
ＣＰＵ２２はＮＶＲＡＭ２５の識別データ領域２５ｂのデータ（デジタルスキャナの固体識別用データ）を読み出す（Ｓｔｅｐ８３）。続いてＥＥＰＲＯＭ１８の識別データ領域１８ｂからデジタルスキャナ１の個体識別用データを読み出し（Ｓｔｅｐ８４）、２つのデータを比較する（Ｓｔｅｐ８５）。比較結果が一致しているため（Ｓｔｅｐ８５−Ｙ）、処理を正常終了する。
【００１０】
次に、上記のデジタルスキャナ１とデジタルプリンタ２の組み合わせからなるデジタル複写機３０の他に、もう１台のデジタルスキャナ１０１（図示せず）とデジタルプリンタ２０２（図示せず）の組み合わせからなるデジタル複写機が存在し、デジタルスキャナ１０１とデジタルプリンタ２が組み合わされてしまった場合について言及する。
この場合のデジタル複写機起動時（電源投入時）の処理について、図３を用いて説明する。図３において、ＣＰＵ２２がデジタルスキャナ１０１の接続を認識した場合に、ＮＶＲＡＭ２５のフラグ領域２５ｃのデータを読み出す（Ｓｔｅｐ５１）。読み出したデータは初期値ではないため（Ｓｔｅｐ５２−Ｎ）、続いてＥＥＰＲＯＭ１８のフラグ領域１８ｃのデータを読み出す（Ｓｔｅｐ６１）。
読み出したデータは初期値ではないため（Ｓｔｅｐ６２−Ｎ）、続いてＮＶＲＡＭ２５の識別データ領域２５ｂのデータを読み出す（Ｓｔｅｐ８３）。続いてＥＥＰＲＯＭ１８の識別データ領域１８ｂからデジタルスキャナ１０１の個体識別用データを読み出し（Ｓｔｅｐ８４）、２つのデータを比較する（Ｓｔｅｐ８５）。この場合は、比較結果が一致しないため（Ｓｔｅｐ８５−Ｎ）処理を異常終了する（Ｓｔｅｐ８６）。
【００１１】
次に、デジタルスキャナ１の電気的な故障等により、ＥＥＰＲＯＭ１８を含むスキャナ制御部（図示しない）が交換された場合について言及する。この場合は、ＮＶＲＡＭ２５の識別データ領域２５ｂには交換前のデジタルスキャナ１の個体識別用データが、フラグ領域２５ｃには特定値が既に書き込まれている。しかしながら、ＥＥＰＲＯＭ１８の識別データ領域１８ｂには、交換後の新しいデジタルスキャナの個体識別用データが書き込まれており、さらにフラグ領域１８ｃのデータは初期値となっている。従って、新たに交換後の新しいデジタルスキャナの個体識別用データをデジタルプリンタのメモリにコピーする必要がある。
つまり、デジタルスキャナ１の機器固有の特性値は、ランプ１６、回路部１３、モータ部１７及びそれを保持する筐体のバラツキに依存するため、それらの部品が交換されない限り機器の固有値は不変であるので、上記の場合の処理について、図３を用いて説明する。
図３において、ＣＰＵ２２はデジタルスキャナ１の接続を認識したら、ＮＶＲＡＭ２５のフラグ領域２５ｃのデータを読み出す（Ｓｔｅｐ５１）。読み出したデータは初期値ではないため（Ｓｔｅｐ５２−Ｎ）、続いてＥＥＰＲＯＭ１８のフラグ領域１８ｃのデータを読み出す（Ｓｔｅｐ６１）。
読み出したデータは初期値であるため（Ｓｔｅｐ６２−Ｙ）、ＮＶＲＡＭ２５のスキャナデータ領域２５ｄに格納されているデジタルスキャナ１の特性値データを読み出し、ＲＡＭ２４に書き込む（Ｓｔｅｐ６３）。次に、ＲＡＭ２４に書き込んだデジタルスキャナ１の特性値データをＥＥＰＲＯＭ１８のデータ領域１８ｄに書き込む（Ｓｔｅｐ６４）。
そして、ＥＥＰＲＯＭ１８のフラグ領域１８ｃに特定値を書き込む（Ｓｔｅｐ６５）。さらに、ＥＥＰＲＯＭ１８の識別データ領域１８ｂからデジタルスキャナ１の個体識別用データを読み出し、ＲＡＭ２４に書き込む（Ｓｔｅｐ８１）。次に、ＲＡＭ２４に書き込んだデジタルスキャナ１の個体識別用データを、ＮＶＲＡＭ２５の識別データ領域２５ｂに書き込み（Ｓｔｅｐ８２）、処理を終了する。
この一連の処理により、デジタルスキャナ１の機器固有の特性値データを、デジタルスキャナ１側とデジタルプリンタ２側の両方で記憶しておくことが可能となり、この後、万が一デジタルプリンタ２の故障により、ＮＶＲＡＭ２５を含むメイン制御部２１あるいはデジタルプリンタ２自体を交換せざるを得ない状況に遭遇しても、デジタルスキャナ１はそのまま使用可能である。その場合は、前述のデジタルプリンタ２とデジタルスキャナ１の最初の接続時処理ルーチン（図３）を実行することになる。
【００１２】
次に、デジタルプリンタ２にデジタルスキャナ１が接続されて、デジタル複写機３０を実現した状態でデジタルスキャナ１の機器固有の特性値に依存する部品、すなわちランプ１６、回路部１３、モータ部１７及びそれを保持する筐体を一部交換した場合について言及する。前記で機器固有の特性値に依存する部品が交換されない限り機器の固有値は不変であることを説明したが、これらの部品が交換されると、機器固有の特性値が変わってしまうので、この場合は、ＥＥＰＲＯＭ１８のデータ領域１８ｄに格納されている特性値データの内、一部のパラメータを調整作業により変更することになる。このとき、ユ−ザあるいはサービスマンは所定のマニュアルにしたがい、調整処理を実行し操作パネル（図示せず）から変更する値を入力する。
この手順は、ＣＰＵ２２は、入力されたパラメータ（アドレス）とその値（データ）をいったんＲＡＭ２４に格納し、決定キー（図示せず）の押下によりＮＶＲＡＭ２５のスキャナデータ領域２５ｄの該当アドレスにデータを書き込む。この際、当然ながらＥＥＰＲＯＭ１８のデータ領域１８ｄの該当アドレスにもデータを書き込む必要があるが、書き込み対象がＮＶＲＡＭ２５とＥＥＰＲＯＭ１８の２つであるため、ひとつのパラメータ変更にかかる処理は２倍となる。
【００１３】
次に、上述した処理に要する時間を短縮する方法をフローチャートによって説明する。図４は処理時間短縮のために用いる処理の流れを説明するフローチャートである。
図４において、ユーザあるいはサービスマンが調整モードを選択すると、ＣＰＵ２２は操作パネル（図示せず）へパラメータを表示させ（Ｓｔｅｐ７１）、データの入力を待つ（Ｓｔｅｐ７２−Ｎ）。操作パネルからデジタルスキャナ１の特性値データが入力されると（Ｓｔｅｐ７２−Ｙ）、そのパラメータに該当するＮＶＲＡＭ２５のスキャナデータ領域２５ｄのアドレスとデータをＲＡＭ２４にいったん格納し（Ｓｔｅｐ７３）、決定キーの入力を待つ（Ｓｔｅｐ７４−Ｎ）。
操作パネルからの決定キー入力を認識すると（Ｓｔｅｐ７４−Ｙ）、ＣＰＵ２２は、ＲＡＭ２４を読み出し、該当するＮＶＲＡＭ２５のスキャナデータ領域２５ｄのアドレスに、入力された特性値データを書き込む（Ｓｔｅｐ７５）。その後、調整モードの終了を認識すると（Ｓｔｅｐ７６−Ｙ）、ＥＥＰＲＯＭ１８のフラグ領域１８ｃに初期値を書き込み（Ｓｔｅｐ７７）、操作パネルに電源再投入を促すメッセージを表示する（Ｓｔｅｐ７８）。
この一連の処理の結果、ユーザあるいはサービスマンが電源を再投入すると、図３のフローチャートにより、Ｓｔｅｐ５１→Ｓｔｅｐ５２−Ｎ→Ｓｔｅｐ６１→Ｓｔｅｐ６２−Ｙ→Ｓｔｅｐ６３→Ｓｔｅｐ６４→Ｓｔｅｐ６５という処理により、書き換えられたＮＶＲＡＭ２５のスキャナデータ領域２５ｄのデータをＥＥＰＲＯＭ１８のデータ領域１８ｄにコピーする。
【００１４】
図５は複数存在しているデジタル複写機のデジタルスキャナとデジタルプリンタが何らかの原因で正規の組み合わせを持たない場合の異常終了後の処理を説明するフローチャートである。
上記のデジタルスキャナ１とデジタルプリンタ２の組み合わせからなるデジタル複写機３０の他に、もう１台のデジタルスキャナ１０１（図示せず）とデジタルプリンタ２０２（図示せず）の組み合わせからなるデジタル複写機が存在する可能性がある。そこで、デジタルスキャナ１０１とデジタルプリンタ２が組み合わされてしまった場合の異常終了後の処理について説明する。
この場合においては、デジタルスキャナ１とデジタルプリンタ２ならびにデジタルスキャナ１０１とデジタルプリンタ２０２を正規の組み合わせに戻せば良いので、図３のＳｔｅｐ８６において異常終了した後に、デジタルスキャナとデジタルプリンタの組み合わせが変更されたことを操作パネルに表示する（Ｓｔｅｐ８７）。
【００１５】
また、何らかの原因、例えばデジタルスキャナ１とデジタルプリンタ２０２が故障し、敢えてデジタルスキャナ１０１とデジタルプリンタ２とを組み合わせて使用したい場合について説明する。
図３のＳｔｅｐ８６において異常終了した後に、デジタルスキャナとデジタルプリンタの組み合わせが変更されたことを操作パネル（図示せず）に表示し（Ｓｔｅｐ８７）、現状の組み合わせでシステムを再構築するか否かを問うメッセージをさらに表示させ（Ｓｔｅｐ８８）、データが入力されるのを待つ（Ｓｔｅｐ８９−Ｎ）。
ユーザあるいはサービスマンがシステムの再構築を指示した場合（Ｓｔｅｐ８９−Ｙ）、ＣＰＵ２２は、ＮＶＲＡＭ２５のフラグ領域２５ｃに初期値を書き込み（Ｓｔｅｐ９０）、操作パネルに電源再投入を促すメッセージを表示する（Ｓｔｅｐ９１）。
この一連の処理の結果、ユーザあるいはサービスマンが電源を再投入すると、図３のフローチャートにより、Ｓｔｅｐ５１→Ｓｔｅｐ５２−Ｙ→Ｓｔｅｐ５３→Ｓｔｅｐ５４→Ｓｔｅｐ５５→Ｓｔｅｐ５６→Ｓｔｅｐ８１→Ｓｔｅｐ８２という処理により、新たに接続されたデジタルスキャナ１０１の特性値データをＥＥＰＲＯＭ１８のデータ領域１８ｄからＮＶＲＡＭ２５のスキャナデータ領域２５ｄにコピーする。このため、新たな組合せにより構築されたデジタル複写機の稼働が可能になる。
【００１６】
【発明の効果】
以上説明したように、請求項１記載の発明では、各々独立して製造されたデジタルプリンタにデジタルスキャナを接続して、デジタル複写機機能を実現する際に、デジタルスキャナに配置し、その特性値データを記憶したＥＥＰＲＯＭと、デジタルプリンタに配置し、その特性値を記憶したＮＶＲＡＭの制御において、双方の特定領域に初期値と特定値を書き込むことにより、最初の接続時にＥＥＰＲＯＭのデジタルスキャナ特性値と予めＥＥＰＲＯＭの特定領域に入力されたデジタルスキャナの識別データをデジタルプリンタ側のＮＶＲＡＭの特定領域にコピーする。これにより、ＣＰＵは唯一のメモリとのアクセスのみでデジタル複写機としての機能を実現できる。
請求項２記載の発明では、デジタルスキャナの電気的な故障等により、ＥＥＰＲＯＭを含むスキャナ制御部が交換された場合、デジタルスキャナの機器固有の特性値データを、デジタルスキャナ側とデジタルプリンタ側の両方で記憶しておくので、この後、万が一デジタルプリンタの故障により、ＮＶＲＡＭを含むメイン制御部あるいはデジタルプリンタ自体を交換せざるを得ない状況に遭遇しても、デジタルスキャナはそのまま使用可能である。
請求項３記載の発明では、ＥＥＰＲＯＭの特定領域に初期値を書き込むことにより、変更されたＮＶＲＡＭの特定領域をＥＥＰＲＯＭにコピーすることでパラメータ変更処理に要する処理時間を短縮することができる。
請求項４記載の発明では、デジタルスキャナとデジタルプリンタの組み合わせからなるデジタル複写機が複数台存在し、デジタルスキャナとデジタルプリンタが誤って組み合わされてしまった場合について言及している。この場合に、予めＥＥＰＲＯＭの特定領域に入力されたデジタルスキャナの識別データと、ＮＶＲＡＭの特定領域にコピーされたデジタルスキャナの識別データとを比較し、比較結果が一致しなかった場合を異常とする。これにより、デジタルスキャナとデジタルプリンタが誤って組み合わされてしまった場合に、以前のデジタルスキャナの特性値データでデジタル複写機が動作する不具合を回避できる。
【００１７】
請求項５記載の発明では、デジタルスキャナとデジタルプリンタの組み合わせからなる（システム）が複数台存在し、デジタルスキャナとデジタルプリンタが誤って組み合わされてしまった場合について言及している。この場合に、予めＥＥＰＲＯＭの特定領域に入力されたデジタルスキャナの識別データと、ＮＶＲＡＭの特定領域にコピーされたデジタルスキャナの識別データとを比較し、比較結果が一致しなかった場合には、表示部にデジタルスキャナ装置とデジタルプリンタ装置との組み合わせに変更があったことを表示する。これにより、ユーザあるいはサービスマンにミス発生の確認を促すことができる。
請求項６記載の発明では、デジタルスキャナとデジタルプリンタの組み合わせからなるデジタル複写機（システム）が複数台存在し、異なる組み合わせでデジタル複写機を再構築する場合について言及している。この場合に、ＮＶＲＡＭの特定領域に初期値を書き込むことにより、新たに接続されたデジタルスキャナの特性値をＮＶＲＡＭの特定領域にコピーし直すことが可能となる。その場合の制御対象をＮＶＲＡＭのみとすることができるため、かかる処理が簡単に実現できる。
請求項７記載の発明では、デジタルスキャナとデジタルプリンタの組み合わせからなるデジタル複写機（システム）が複数台存在し、異なる組み合わせでデジタル複写機を再構築する場合について言及している。この場合に、請求項６記載の制御を実行するか否かのメッセージを表示部に表示する。これにより、デジタルスキャナとデジタルプリンタが誤って組み合わされてしまった場合であるのか、敢えて異なる組み合わせでシステムを再構築する場合であるのか、ユーザあるいはサービスマンの意志を確認し、誤った処理を防止できる。
【図面の簡単な説明】
【図１】本発明によるデジタル複写機の実施の形態のハードウェア構成を示すブロック図である。
【図２】図１の実施の形態のハードウェア構成において使用されるデジタルスキャナ用不揮発性記憶媒体（ＥＥＰＲＯＭ）及びデジタルプリンタ用不揮発性記憶媒体（ＮＶＲＡＭ）のメモリマップを示す図である。
【図３】デジタル複写機の制御処理を示すフローチャートである。
【図４】処理時間短縮のために用いる処理の流れを説明するフローチャートである。
【図５】複数存在しているデジタル複写機のデジタルスキャナとデジタルプリンタが何らかの原因で正規の組み合わせを持たない場合の異常終了後の処理を説明するフローチャートである。
【符号の説明】
１　デジタルスキャナ、２　デジタルプリンタ、１１　コントローラＩＣ、１８　ＥＥＰＲＯＭ、２１　メイン制御部、２２　ＣＰＵ、２４　ＲＡＭ、２５　ＮＶＲＡＭ
【図１】
2004032034.tif 000003
【図２】
2004032034.tif 000004
【図３】
2004032034.tif 000005
【図４】
2004032034.tif 000006
【図５】
2004032034.tif 000007